【手続補正書】
【提出日】平成23年6月9日(2011.6.9)
【手続補正１】
【補正対象書類名】特許請求の範囲
【補正対象項目名】全文
【補正方法】変更
【補正の内容】
【特許請求の範囲】
【請求項１】
ユーザ装置にサービスを提供するソースノードとターゲットノードとを備えるシステムにおいて実行される方法であって、
前記ソースノードによってサービスが提供されている各ユーザ装置についての現在のアクティビティを示す情報とリソースの使用状況を示す情報とを収集することによって、実際のリソース要求条件について示す無線リソース管理情報を保持するステップと、
ハンドオーバを開始すると決定するステップと、
前記無線リソース管理情報を含むハンドオーバリクエストメッセージを前記ターゲットノードへ送信するステップと、
前記ターゲットノードにおいて前記ハンドオーバリクエストメッセージを受信すると、前記ターゲットノードについての現在のネットワーク情報を特定するステップと、
前記ターゲットノードについて特定された前記現在のネットワーク情報と、前記無線リソース管理情報とに基づいて前記ユーザ装置についてのハンドオーバフィードバック情報を生成するステップと、
前記生成されたハンドオーバフィードバック情報を含むハンドオーバレスポンスメッセージを前記ソースノードへ送信するステップと、
前記ソースノードにおいて前記ハンドオーバレスポンスメッセージを受信すると、前記生成されたハンドオーバフィードバック情報に基づいてハンドオーバ関連アクションを実行するステップと
を有することを特徴とする方法。
【請求項２】
前記無線リソース管理情報には、
ユーザ装置の固有の情報、または
無線ベアラの固有の情報
の１つ以上が含まれていることを特徴とする請求項１に記載の方法。
【請求項３】
前記ユーザ装置の固有の情報には、
前記ユーザ装置の現在におけるアクティビティレベルに関する情報と、
前記ユーザ装置が使用している無線リソースに関する情報と、
前記ユーザ装置のサービス品質に関する情報と
のうち少なくとも１つが含まれていることを特徴とする請求項２に記載の方法。
【請求項４】
前記無線ベアラの固有の情報には、
無線ベアラの現在におけるアクティビティレベルに関する情報と、
無線ベアラが使用している無線リソースに関する情報と、
前記無線ベアラによって提供されているサービス品質に関する情報と
のうち少なくとも１つが含まれていることを特徴とする請求項２に記載の方法。
【請求項５】
前記ソースノードは、
ビットレートが保証されていない無線ベアラと、
ビットレートが保証された無線ベアラであって、該無線ベアラについての最大ビットレートがビットレート保証値よりも大きい、該無線ベアラと
のうち少なくとも１つを介して前記ユーザ装置へサービスを提供し、
前記無線リソース管理情報を保持するステップは、
前記ビットレートが保証されていない無線ベアラと、前記ビットレートが保証された無線ベアラとの少なくとも１つに関連した無線リソース管理情報を保持するステップ
を含むことを特徴とする請求項１に記載の方法。
【請求項６】
前記システムは、
モビリティ管理エンティティ
をさらに備え、
前記ハンドオーバリクエストメッセージを送信するステップと、前記ハンドオーバレスポンスメッセージを送信するステップとが、Ｓ１インタフェースを介して、前記モビリティ管理エンティティによって実行されることを特徴とする請求項１に記載の方法。
【請求項７】
前記ハンドオーバレスポンスメッセージは、
第１の情報要素を有したハンドオーバリクエスト肯定応答メッセージと、
第２の情報要素を有したハンドオーバ準備失敗メッセージと
のうちいずれか一方を有し、
前記第１の情報要素および前記第２の情報要素には、前記生成されたハンドオーバフィードバック情報が含まれていることを特徴とする請求項１に記載の方法。
【請求項８】
前記ハンドオーバレスポンスメッセージには、ハンドオーバ先の進化型ノードＢからハンドオーバ元の進化型ノードＢへのトランスペアレントコンテナが含まれており、
前記ハンドオーバ先の進化型ノードＢからハンドオーバ元の進化型ノードＢへのトランスペアレントコンテナには、前記生成されたハンドオーバフィードバック情報が含まれていることを特徴とする請求項１に記載の方法。
【請求項９】
前記生成されたハンドオーバフィードバック情報には、
前記ユーザ装置についての前記ソースノードが提供しているアクティビティレベルと同等のアクティビティレベルを前記ターゲットノードがサポートしていないことを示すインジケーションと、
前記ソースノードによって提供されている無線リソースよりも少ない無線リソースしか特定の無線ベアラが受信できないことを示すインジケーションと、
前記ターゲットノードがサポートできるアクティビティレベルを示すインジケーションと
のうち少なくとも１つが含まれていることを特徴とする請求項１に記載の方法。
【請求項１０】
前記ハンドオーバ関連アクションを実行するステップは、
他のターゲットノードとの通信を前記ユーザ装置に開始させる第１コマンドを送信するステップと、
前記ユーザ装置によって使用されているスケジューリングストラテジーを修正して、前記ターゲットノードによって使用されているスケジューリングストラテジーに整合させるステップと、
継続中のサービスを前記ユーザ装置に再構成させる第２コマンドを送信するステップと、
前記ターゲットノードへとハンドオーバするとサービスが低下することを警告するための第３コマンドを送信するステップと
のうち少なくとも１つを含むことを特徴とする請求項１に記載の方法。
【請求項１１】
ソースノードとターゲットノードとを備えるシステムであって、
前記ソースノードは、
前記ソースノードによってサービスが提供されている各ユーザ装置についての現在のアクティビティを示す情報とリソースの使用状況を示す情報とを収集することによって、実際のリソース要求条件について示す無線リソース管理情報を収集し、
ユーザ装置についてハンドオーバを開始すると決定し、
前記ユーザ装置についてハンドオーバを開始すると決定すると、前記無線リソース管理情報を含むハンドオーバリクエストメッセージを送信し、
前記ターゲットノードは、
前記ソースノードから前記ハンドオーバリクエストメッセージを受信し、
前記ハンドオーバリクエストメッセージを受信したことに応じて、前記ターゲットノードについての現在のネットワーク情報を特定し、
前記特定された現在のネットワーク情報と、前記無線リソース管理情報とに基づいて前記ユーザ装置についてのハンドオーバフィードバック情報を生成し、
前記ソースノードがハンドオーバに関連した決定を行うことを支援する前記ハンドオーバフィードバック情報を含むハンドオーバレスポンスメッセージを前記ソースノードへ送信する
ことを特徴とするシステム。
【請求項１２】
前記無線リソース管理情報には、
ユーザ装置の固有の情報、または
無線ベアラの固有の情報
の１つ以上が含まれていることを特徴とする請求項１１に記載のシステム。
【請求項１３】
前記ユーザ装置の固有の情報には、
前記ユーザ装置の現在におけるアクティビティレベルに関する情報と、
前記ユーザ装置が使用している無線リソースに関する情報と、
前記ユーザ装置のサービス品質に関する情報と
のうち少なくとも１つが含まれていることを特徴とする請求項１２に記載のシステム。
【請求項１４】
前記無線ベアラの固有の情報には、
無線ベアラの現在におけるアクティビティレベルに関する情報と、
無線ベアラが使用している無線リソースに関する情報と、
前記無線ベアラによって提供されているサービス品質に関する情報と
のうち少なくとも１つが含まれていることを特徴とする請求項１２に記載のシステム。
【請求項１５】
前記ソースノードは、
ビットレートが保証されていない無線ベアラと、
ビットレートが保証された無線ベアラであって、該無線ベアラについての最大ビットレートがビットレート保証値よりも大きい、該無線ベアラと
のうち少なくとも１つを介して前記ユーザ装置へサービスを提供することを特徴とする請求項１１に記載のシステム。
【請求項１６】
前記ソースノードは、Ｘ２インタフェースを介して前記ハンドオーバリクエストメッセージを送信し、
前記ターゲットノードは、Ｘ２インタフェースを介して前記ハンドオーバレスポンスメッセージを送信することを特徴とする請求項１１に記載のシステム。
【請求項１７】
前記ハンドオーバレスポンスメッセージは、
第１の情報要素を有したハンドオーバリクエスト肯定応答メッセージと、
第２の情報要素を有したハンドオーバ準備失敗メッセージと
のうちいずれか一方を有し、
前記第１の情報要素および前記第２の情報要素には、前記生成されたハンドオーバフィードバック情報が含まれていることを特徴とする請求項１１に記載のシステム。
【請求項１８】
前記ハンドオーバレスポンスメッセージには、ハンドオーバ先の進化型ノードＢからハンドオーバ元の進化型ノードＢへのトランスペアレントコンテナが含まれており、
前記ハンドオーバ先の進化型ノードＢからハンドオーバ元の進化型ノードＢへのトランスペアレントコンテナには、前記生成されたハンドオーバフィードバック情報が含まれていることを特徴とする請求項１１に記載のシステム。
【請求項１９】
前記生成されたハンドオーバフィードバック情報には、
前記ユーザ装置についての前記ソースノードが提供しているアクティビティレベルと同等のアクティビティレベルを前記ターゲットノードがサポートしていないことを示すインジケーションと、
前記ソースノードによって提供されている無線リソースよりも少ない無線リソースしか特定の無線ベアラが受信できないことを示すインジケーションと、
前記ターゲットノードがサポートできるアクティビティレベルを示すインジケーションと
のうち少なくとも１つが含まれていることを特徴とする請求項１１に記載のシステム。
【請求項２０】
前記ソースノードは、
他のターゲットノードとの通信を前記ユーザ装置に開始させる第１コマンドを送信するステップと、
前記ユーザ装置によって使用されているスケジューリングストラテジーを修正して、前記ターゲットノードによって使用されているスケジューリングストラテジーに整合させるステップと、
継続中のサービスを前記ユーザ装置に再構成させる第２コマンドを送信するステップと、
前記ターゲットノードへとハンドオーバするとサービスが低下することを警告するための第３コマンドを送信するステップと
のうち少なくとも１つのステップを実行することを特徴とする請求項１１に記載のシステム。
【請求項２１】
ネットワークにおいてハンドオーバ元となる進化型ノードＢであって、
前記進化型ノードＢと連携している少なくとも１つのユーザ装置または前記ユーザ装置と関連付けられている無線ベアラについての現在のアクティビティを示す情報とリソースの使用状況を示す情報とを含む実際のリソース要求条件を示す無線リソース管理情報を記憶する記憶装置と、
処理ロジック部と
を備え、
前記処理ロジック部は、
前記ユーザ装置についてハンドオーバを開始すると決定し、
前記ハンドオーバを開始すると決定すると前記無線リソース管理情報を含むハンドオーバリクエストメッセージを生成し、
Ｘ２インタフェースを介して前記ハンドオーバリクエストメッセージを、ハンドオーバ先となる進化型ノードＢへ送信し、
前記ハンドオーバリクエストメッセージを前記ハンドオーバ先となる進化型ノードＢへ送信したことに応じて、前記ハンドオーバ元となる進化型ノードＢがハンドオーバに関連した決定を行うことを支援する前記無線リソース管理情報を含む、ハンドオーバリクエスト肯定応答メッセージと、ハンドオーバ準備失敗メッセージとのいずれか一方を、前記Ｘ２インタフェースを介して受信し、
前記ハンドオーバリクエスト肯定応答メッセージと、ハンドオーバ準備失敗メッセージとのいずれか一方に含まれていた前記無線リソース管理情報に基づいてハンドオーバに関連した決定を実行することを特徴とする進化型ノードＢ。
【請求項２２】
前記無線リソース管理情報には、前記ハンドオーバリクエスト肯定応答メッセージと、ハンドオーバ準備失敗メッセージとのいずれか一方の情報要素が含まれていることを特徴とする請求項２１に記載の進化型ノードＢ。
【請求項２３】
前記ハンドオーバ元となる進化型ノードＢは、前記ハンドオーバリクエスト肯定応答メッセージを受信し、
前記ハンドオーバリクエスト肯定応答メッセージに含まれている、ハンドオーバ先となる進化型ノードＢからハンドオーバ元となる進化型ノードＢへのトランスペアレントコンテナに、前記無線リソース管理情報が含まれていることを特徴とする請求項２１に記載の進化型ノードＢ。
【請求項２４】
前記処理ロジック部は、前記ハンドオーバに関連した決定を実行する際に、
他のターゲットノードとの通信を前記ユーザ装置に開始させる第１コマンドを送信するステップと、
前記ユーザ装置によって使用されているスケジューリングストラテジーを修正して、前記ターゲットノードによって使用されているスケジューリングストラテジーに整合させるステップと、
継続中のサービスを前記ユーザ装置に再構成させる第２コマンドを送信するステップと、
前記ターゲットノードへとハンドオーバするとサービスが低下することを警告するための第３コマンドを送信するステップと
のうち少なくとも１つを実行することを特徴とする請求項２１に記載の進化型ノードＢ。
【請求項２５】
ネットワークにおいてハンドオーバ先となる進化型ノードＢであって、
指示を記憶する記憶装置と、
前記指示を実行する処理ロジック部と
を備え、
前記処理ロジック部は、
ユーザ装置に関連した現在のアクティビティを示す情報とリソースの使用状況を示す情報とを含む実際のリソース要求条件を示す無線リソース管理情報を含むハンドオーバリクエストメッセージを、ハンドオーバ元となる進化型ノードＢから受信し、
前記ハンドオーバリクエストメッセージを受信すると、前記ハンドオーバ先となる進化型ノードＢにおける現在のリソース使用状況を特定し、
前記特定されたリソース使用状況と、前記無線リソース管理情報とに基づいて、ハンドオーバフィードバック情報を生成し、
前記ハンドオーバ元となる進化型ノードＢがハンドオーバに関連した決定を実行することを支援する前記ハンドオーバフィードバック情報を含む、ハンドオーバリクエスト肯定応答メッセージと、ハンドオーバ準備失敗メッセージとのいずれか一方を前記ハンドオーバ元となる進化型ノードＢに送信することを特徴とする進化型ノードＢ。
【請求項２６】
前記生成されたハンドオーバフィードバック情報には、
前記ユーザ装置についての前記ハンドオーバ元となる進化型ノードＢが提供しているアクティビティレベルと同等のアクティビティレベルを前記ハンドオーバ先となる進化型ノードＢがサポートしていないことを示すインジケーションと、
前記ハンドオーバ元となる進化型ノードＢによって提供されている無線リソースよりも少ない無線リソースしか特定の無線ベアラが受信できないことを示すインジケーションと、
前記ハンドオーバ先となる進化型ノードＢがサポートできるアクティビティレベルを示すインジケーションと
のうち少なくとも１つが含まれていることを特徴とする請求項２５に記載の進化型ノードＢ。
【請求項２７】
前記ハンドオーバ先となる進化型ノードＢは、前記生成されたハンドオーバフィードバック情報を、
ハンドオーバリクエスト肯定応答メッセージと、ハンドオーバ準備失敗メッセージとのうちいずれか一方の情報要素、または、
前記ハンドオーバリクエスト肯定応答メッセージに含まれる、前記ハンドオーバ先となる進化型ノードＢから前記ハンドオーバ元となる進化型ノードＢへのトランスペアレントコンテナ
に搭載することを特徴とする請求項２５に記載の進化型ノードＢ。
【請求項２８】
ソースノードとターゲットノードとを備えたネットワークにおける管理エンティティ装置であって、
指示を記憶する記憶装置と、
前記指示を実行する処理ロジック部と
を備え
前記処理ロジック部は、
前記ターゲットノードに対するハンドオーバを考慮しているユーザ装置に関連した現在のアクティビティを示す情報とリソースの使用状況を示す情報とを含む実際のリソース要求条件を示す無線リソース管理情報を含むハンドオーバリクエストメッセージを前記ターゲットノードへ送信し、
前記ハンドオーバリクエストメッセージを前記ターゲットノードへ送信したことに応じて、前記ソースノードが前記ユーザ装置に提供しているサービス品質と同等のサービス品質を前記ターゲットノードが提供する尤度を示す予測情報を含んだハンドオーバレスポンスメッセージを前記ターゲットノードから受信し、
前記予測情報を含んだハンドオーバコマンドを前記ソースノードへ供給することを特徴とする管理エンティティ装置。
【請求項２９】
前記予測情報には、
前記ユーザ装置についての前記ソースノードが提供しているアクティビティレベルと同等のアクティビティレベルを前記ターゲットノードがサポートしていないことを示すインジケーションと、
前記ソースノードによって提供されている無線リソースよりも少ない無線リソースしか特定の無線ベアラが受信できないことを示すインジケーションと、
前記ターゲットノードがサポートできるアクティビティレベルを示すインジケーションと
のうち少なくとも１つが含まれていることを特徴とする請求項２８に記載の管理エンティティ装置。
【請求項３０】
ターゲットノードと、ベストエフォートタイプのアプリケーションと融通性のあるアプリケーションとの少なくとも一方を実行しているユーザ装置に対してサービスを提供しているソースノードとを備えたシステムにおいてハンドオーバをアシストする方法であって、
前記ソースノードが実行するステップとして、
前記ソースノードによってサービスが提供されている各ユーザ装置についての現在のアクティビティを示す情報とリソースの使用状況を示す情報とを収集することによって、実際のリソース要求条件について示す無線リソース管理情報を保持するステップと、
ハンドオーバを開始すると決定するステップと、
前記無線リソース管理情報を含むハンドオーバリクエストメッセージを前記ターゲットノードへ送信するステップと、
前記ユーザ装置についてのハンドオーバフィードバック情報を含んだハンドオーバレスポンスメッセージを前記ターゲットノードから受信するステップと、
前記ハンドオーバレスポンスメッセージを受信すると、前記ハンドオーバフィードバック情報に基づいて、ハンドオーバに関連したアクションを実行するステップと
を有することを特徴とする方法。
【請求項３１】
前記ハンドオーバフィードバック情報には、
前記ユーザ装置についての前記ソースノードが提供しているアクティビティレベルと同等のアクティビティレベルを前記ターゲットノードがサポートしていないことを示すインジケーションと、
前記ソースノードによって提供されている無線リソースよりも少ない無線リソースしか特定の無線ベアラが受信できないことを示すインジケーションと、
前記ターゲットノードがサポートできるアクティビティレベルを示すインジケーションと
のうち少なくとも１つが含まれていることを特徴とする請求項３０に記載の方法。
【請求項３２】
前記ハンドオーバに関連したアクションを実行するステップは、
他のターゲットノードとの通信を前記ユーザ装置に開始させる第１コマンドを送信するステップと、
前記ユーザ装置によって使用されているスケジューリングストラテジーを修正して、前記ターゲットノードによって使用されているスケジューリングストラテジーに整合させるステップと、
継続中のサービスを前記ユーザ装置に再構成させる第２コマンドを送信するステップと、
前記ターゲットノードへとハンドオーバするとサービスが低下することを警告するための第３コマンドを送信するステップと
のうち少なくとも１つを含むことを特徴とする請求項３０に記載の方法。
【請求項３３】
ターゲットノードと、ベストエフォートタイプのアプリケーションと融通性のあるアプリケーションとの少なくとも一方を実行しているユーザ装置に対してサービスを提供しているソースノードとを備えたシステムにおいてハンドオーバをアシストする方法であって、
前記ターゲットノードが実行するステップとして、
前記ターゲットノードに対するハンドオーバを考慮しているユーザ装置に関連した現在のアクティビティを示す情報とリソースの使用状況を示す情報とを含む実際のリソース要求条件を示す無線リソース管理情報を含んだハンドオーバリクエストメッセージを前記ソースノードから受信するステップと、
前記ハンドオーバリクエストメッセージを受信したことに応じて、前記ターゲットノードについての現在のネットワーク情報を特定するステップと、
前記現在のネットワーク情報と、前記無線リソース管理情報とに基づいて前記ユーザ装置についてのハンドオーバフィードバック情報を生成するステップと、
前記生成されたハンドオーバフィードバック情報を含むハンドオーバレスポンスメッセージを前記ソースノードへ送信するステップと
を有することを特徴とする方法。
【請求項３４】
前記無線リソース管理情報には、
ユーザ装置の固有の情報、または
無線ベアラの固有の情報
の１つ以上が含まれていることを特徴とする請求項３３に記載の方法。
【請求項３５】
前記ハンドオーバフィードバック情報には、
前記ユーザ装置についての前記ソースノードが提供しているアクティビティレベルと同等のアクティビティレベルを前記ターゲットノードがサポートしていないことを示すインジケーションと、
前記ソースノードによって提供されている無線リソースよりも少ない無線リソースしか特定の無線ベアラが受信できないことを示すインジケーションと、
前記ターゲットノードがサポートできるアクティビティレベルを示すインジケーションと
のうち少なくとも１つが含まれていることを特徴とする請求項３３に記載の方法。